(57)【要約】【課題】容易に検索を実行でき、類義語の各情報の比較を容易にすることができる情報表示制御装置を提供すること。【解決手段】見出語を選択すると、この選択した見出語１１１ｃの説明情報１１２ｃと、説明情報１１２ｃに含まれるキーワード１１３ｃの説明情報１３２ｃと、が同一画面に表示されるとともに、説明情報１３２ｃの類義語群１３４ｃの内、選択見出語１１１ｃに一致する類義語１５３ｃ及び解説アイコン１３６ｃが反転表示される。そして決定キーを操作すると、類義語群１３４ｃに含まれる各類義語の解説及び用例が表示されるとともに、反転表示されている類義語１３５ｃ（１５１ｃ）まで表示がスクロールされる。また、類義語１５１ｃの解説１５２ｃについては、キーワード１１３ｃの語義１３３ｃと異なる（合致しない）部分に直線の下線が付加される。【選択図】      図１４
2004272678.tif 000002
【特許請求の範囲】
【請求項１】
見出語と該見出語のキーワードとを対応付けて記憶した見出語情報記憶手段と、
キーワードと該キーワードの語義の情報である語義情報と該キーワードの各語義についての類義語群とを対応付けて記憶したキーワード情報記憶手段と、
類義語と該類義語の説明情報である類義語説明情報とを対応付けて記憶した類義語情報記憶手段と、
見出語を選択する見出語選択手段と、
この見出語選択手段によって選択された見出語のキーワードに対応する語義情報を前記キーワード情報記憶手段から読み出すとともに、当該キーワードに対応付けて前記キーワード情報記憶手段に記憶された類義語群の内、前記選択された見出語に一致する類義語の類義語説明情報を前記類義語情報記憶手段から読み出し、読み出した語義情報と類義語説明情報とを対比して表示する制御を行う第１対比表示制御手段と、
を備えることを特徴とする情報表示制御装置。
【請求項２】
前記第１対比表示制御手段は、読み出した類義語説明情報について、読み出した語義情報と合致する部分或いは合致しない部分を他と異なる表示形態で識別表示する制御を行う第１識別表示制御手段を有する、ことを特徴とする請求項１に記載の情報表示制御装置。
【請求項３】
前記第１対比表示制御手段は、読み出した語義情報と類義語説明情報とを同一画面に表示する制御を行う第１並列表示制御手段を有する、ことを特徴とする請求項１又は２に記載の情報表示制御装置。
【請求項４】
前記キーワード情報記憶手段は、更に、キーワードの語義毎に語義番号を対応付けて記憶する手段であり、
前記見出語情報記憶手段は、更に、キーワードの語義番号を対応付けて記憶する手段であり、
前記第１対比表示制御手段は、前記選択された見出語のキーワードの語義番号に対応する語義情報を前記キーワード情報記憶手段から読み出すとともに、当該キーワードの語義番号に対応付けて前記キーワード情報記憶手段に記憶された類義語群の内、前記選択された見出語に一致する類義語の類義語説明情報を前記類義語情報記憶手段から読み出して、読み出した語義情報と類義語情報とを対比して表示する手段である、ことを特徴とする請求項１〜３の何れか一項に記載の情報表示制御装置。
【請求項５】
前記選択された見出語のキーワードに対応付けて前記キーワード情報記憶手段に記憶された類義語群の内から一の類義語を選択する類義語選択手段と、
この類義語選択手段によって選択された類義語の類義語説明情報を前記類義語情報記憶手段から読み出すとともに、前記類義語選択手段によって前回選択された類義語の類義語説明情報を前記類義語情報記憶手段から読み出し、読み出した類義語情報同士を対比して表示する制御を行う第２対比表示制御手段と、
を備えることを特徴とする請求項１〜４の何れか一項に記載の情報表示制御装置。
【請求項６】
見出語と該見出語のキーワードとを対応付けて記憶した見出語情報記憶手段と、
キーワードと該キーワードの語義の情報である語義情報と該キーワードの各語義についての類義語群とを対応付けて記憶したキーワード情報記憶手段と、
類義語と該類義語の説明情報である類義語説明情報とを対応付けて記憶した類義語情報記憶手段と、
見出語を選択する見出語選択手段と、
この見出語選択手段によって選択された見出語に対応付けて前記キーワード記憶手段に記憶された類義語群の内から一の類義語を選択する類義語選択手段と、この類義語選択手段によって選択された類義語の類義語説明情報を前記類義語情報記憶手段から読み出すとともに、前記類義語選択手段によって前回選択された類義語の類義語説明情報を前記類義語情報記憶手段から読み出し、読み出した類義語説明情報同士を対比して表示する制御を行う第２対比表示制御手段と、
を備えることを特徴とする情報表示制御装置。
【請求項７】
前記第２対比表示制御手段は、前記類義語選択手段によって選択された類義語の類義語説明情報について、前記前回選択された類義語の類義語説明情報と合致する部分或いは合致しない部分を他と異なる表示形態で識別表示する制御を行う第２識別表示制御手段を有する、ことを特徴とする請求項５又は６に記載の情報表示制御装置。
【請求項８】
前記第２対比表示制御手段は、読み出した双方の類義語説明情報を同一画面に表示する制御を行う第２並列表示制御手段を有する、ことを特徴とする請求項５〜７の何れか一項に記載の情報表示制御装置。
【請求項９】
前記キーワード情報記憶手段は、更に、キーワードの語義毎に語義番号を対応付けて記憶する手段であり、
前記見出語情報記憶手段は、更に、キーワードの語義番号を対応付けて記憶する手段であり、
前記類義語選択手段は、前記選択された見出語のキーワードの語義番号に対応付けて前記キーワード記憶手段に記憶された類義語群の内から一の類義語を選択する手段である、ことを特徴とする請求項５〜８の何れか一項に記載の情報表示制御装置。
【請求項１０】
前記選択された見出語のキーワードに対応付けて前記キーワード情報記憶手段に記憶された類義語群の内、当該選択された見出語に一致する類義語の類義語説明情報を前記類義語情報記憶手段から読み出すとともに、この一致する類義語以外の他の類義語の類義語説明情報を前記類義語情報記憶手段から読み出し、読み出した類義語説明情報同士を対比して表示する制御を行う第３対比表示制御手段を更に備える、ことを特徴とする請求項１〜９の何れか一項に記載の情報表示制御装置。
【請求項１１】
見出語と該見出語のキーワードとを対応付けて記憶した見出語情報記憶手段と、
キーワードと該キーワードの語義の情報である語義情報と該キーワードの各語義についての類義語群とを対応付けて記憶したキーワード情報記憶手段と、
類義語と該類義語の説明情報である類義語説明情報とを対応付けて記憶した類義語情報記憶手段と、
見出語を選択する見出語選択手段と、
この見出語選択手段によって選択された見出語のキーワードに対応付けて前記キーワード情報記憶手段に記憶された類義語群の内、当該選択された見出語に一致する類義語の類義語説明情報を前記類義語情報記憶手段から読み出すとともに、この類義語以外の他の類義語の類義語説明情報を前記類義語情報記憶手段から読み出し、読み出した類義語説明情報同士を対比して表示する制御を行う第３対比表示制御手段と、
を備えることを特徴とする情報表示制御装置。
【請求項１２】
前記第３対比表示制御手段は、読み出した他の類義語の類義語説明情報について、前記選択された見出語に一致する類義語の類義語説明情報と合致する部分或いは合致しない部分を他と異なる表示形態で識別表示する制御を行う第３識別表示制御手段を有する、ことを特徴とする請求項１０又は１１に記載の情報表示制御装置。
【請求項１３】
前記第３対比表示制御手段は、読み出した双方の類義語説明情報を同一画面に表示する制御を行う第３並列表示制御手段を有する、ことを特徴とする請求項１０〜１２の何れか一項に記載の情報表示制御装置。
【請求項１４】
前記キーワード情報記憶手段は、更に、キーワードの語義毎に語義番号を対応付けて記憶する手段であり、
前記見出語情報記憶手段は、更に、キーワードの語義番号を対応付けて記憶する手段であり、
前記第３対比表示制御手段は、前記選択された見出語のキーワードの語義番号に対応付けて前記キーワード情報に記憶された類義語群の内、当該選択された見出語に一致する類義語を前記類義語情報記憶手段から読み出すとともに、この一致する類義語以外の他の類義語の類義語説明情報を前記類義語情報記憶手段から読み出し、読み出した類義語説明情報同士を対比して表示する制御を行う手段である、ことを特徴とする請求項１０〜１３の何れか一項に記載の情報表示制御装置。
【請求項１５】
前記選択された見出語のキーワードに対応付けて記憶された語義情報を前記キーワード情報記憶手段から読み出し、読み出した語義情報と当該キーワードとを同一画面に表示する制御を行う第４並列表示制御手段を更に備える、ことを特徴とする請求項１〜１４の何れか一項に記載の情報表示制御装置。
【請求項１６】
コンピュータに、
見出語と該見出語のキーワードとを対応付けて記憶する見出語情報記憶機能と、
キーワードと該キーワードの語義の情報である語義情報と該キーワードの各語義についての類義語群とを対応付けて記憶するキーワード情報記憶機能と、
類義語と該類義語の説明情報である類義語説明情報とを対応付けて記憶する類義語情報記憶機能と、
見出語を選択する見出語選択機能と、
この見出語選択機能によって選択された見出語のキーワードに対応する語義情報を前記キーワード情報記憶機能から読み出すとともに、当該キーワードに対応付けて前記キーワード情報記憶機能によって記憶された類義語群の内、前記選択された見出語に一致する類義語の類義語説明情報を前記類義語情報記憶機能から読み出し、読み出した語義情報と類義語説明情報とを対比して表示する制御を行う第１対比表示制御機能と、
実現させるためのプログラム。
【請求項１７】
コンピュータに、
見出語と該見出語のキーワードとを対応付けて記憶する見出語情報記憶機能と、
キーワードと該キーワードの語義の情報である語義情報と該キーワードの各語義についての類義語群とを対応付けて記憶するキーワード情報記憶機能と、
類義語と該類義語の説明情報である類義語説明情報とを対応付けて記憶する類義語情報記憶機能と、
見出語を選択する見出語選択機能と、
この見出語選択機能によって選択された見出語に対応付けて前記キーワード記憶機能によって記憶された類義語群の内から一の類義語を選択する類義語選択機能と、
この類義語選択機能によって選択された類義語の類義語説明情報を前記類義語情報記憶機能から読み出すとともに、前記類義語選択機能によって前回選択された類義語の類義語説明情報を前記類義語情報記憶機能から読み出し、読み出した類義語説明情報同士を対比して表示する制御を行う第２対比表示制御機能と、
を実現させるためのプログラム。
【請求項１８】
コンピュータに、
見出語と該見出語のキーワードとを対応付けて記憶する見出語情報記憶機能と、
キーワードと該キーワードの語義の情報である語義情報と該キーワードの各語義についての類義語群とを対応付けて記憶するキーワード情報記憶機能と、
類義語と該類義語の説明情報である類義語説明情報とを対応付けて記憶する類義語情報記憶機能と、
見出語を選択する見出語選択機能と、
この見出語選択機能によって選択された見出語のキーワードに対応付けて前記キーワード情報記憶機能によって記憶された類義語群の内、当該選択された見出語に一致する類義語の類義語説明情報を前記類義語情報記憶機能から読み出すとともに、この類義語以外の他の類義語の類義語説明情報を前記類義語情報記憶機能から読み出し、読み出した類義語説明情報同士を対比して表示する制御を行う第３対比表示制御機能と、
を実現させるためのプログラム。
【発明の詳細な説明】
【０００１】
【発明の属する技術分野】
本発明は、情報表示制御装置及びプログラムに関する。
【０００２】
【従来の技術】
従来から、国語辞典や英和辞典、和英辞典、類語辞典等の複数種類の辞書データベースを内蔵した、電子辞書と呼ばれる情報表示制御装置が知られている。辞書データベースは、見出語と、該見出語を説明・解説する説明情報とを対応付けた辞書データを多数蓄積している。ユーザは、辞書種別を選択して検索語を入力することで、該検索語に適合する見出語に対応する説明情報を表示させることができる。
【０００３】
また、電子辞書には、ユーザが所望する情報を効率良く検索可能とするために、様々な検索機能を備えている。例えば、検索語に一致する見出語に対応する説明情報を表示した後、説明情報中の所望の文字列が指定されて所定の指示入力が行われると、この指定した文字列を検索語として見出語を再度検索し、該見出語に対応する説明情報を自動的に表示させる、いわゆるジャンプ機能を備えたものもある（例えば、特許文献１参照）。
【０００４】
ところで、電子辞書に内蔵される辞書データベースの内の一つに、類語辞典の辞書データベース（類語辞典データベース）がある。類語辞典は、類義語の検索を目的とする辞書である。この類語辞典データベースのある種のものは、多数の類義語を所定のキーワードに分類し、この類義語及びキーワードを見出語として、それぞれに説明情報を対応付けている構成のものがある。
【０００５】
具体的には、キーワードである見出語には、当該キーワードの語義毎に、該語義の情報（語義情報）と、該語義についての類義語と、更に、該類義語を詳細に解説した説明情報と、が説明情報として対応付けられている。また、類義語である見出語には、当該類義語が分類されたキーワード及び語義番号が、説明情報として対応付けられている。
【０００６】
そして、この類語辞典データベースでの検索は、具体的には次のように行われる。即ち、検索語「ｒｏｏｋｉｅ」を入力すると、この検索語に適合する見出語が類語辞典データベースから検索され、該見出語に対応する説明情報が、例えば図１７（ａ）に示すように表示される。この説明情報は、上述のように、該見出語が分類されたキーワード及び語義番号を示す情報であり、キーワード“ＥＸＰＥＲＩＥＮＣＥＤ”の語義番号“４”の部分を参照するように指示している。
【０００７】
ユーザは、この表示画面において、例えは上述のジャンプ機能を利用し、該キーワードを指定して所定の検索指示を入力する。すると、このキーワードに適合する見出語が類語辞典データベースから再検索され、これに対応する説明情報が、例えば図１７（ｂ）に示すように表示される。
【０００８】
続いて、ユーザは、この表示画面において、例えばカーソルキーを操作して表示画面をスクロールさせ、例えば図１７（ｃ）に示すように、参照するように指示された語義番号４の語義や類義語を表示させる。更に、この表示画面において、語義番号“４”を指定して所定の解説表示指示を入力すると、指定した語義番号“４”の類義語それぞれについての詳細な解説が表示される。
【０００９】
その後、ユーザは、この表示画面をスクロールさせることで、“ｒｏｏｋｉｅ”の詳細な解説を、例えば図１８（ａ）に示すように表示させたり、他の類義語、例えば“ｎｏｖｉｃｅ”の詳細な解説を、例えば図１８（ｂ）に示すように表示させることができる。
【００１０】
【特許文献１】
特開２０００−２７６４８５号公報
【００１１】
【発明が解決しようとする課題】
しかしながら、類語辞典データベースでの検索は、その特有なデータ構成であるが故に、次の問題が発生していた。即ち、ユーザがある単語についての類義語の情報を知りたいときには、上述した一連の操作手順をいちいち行わなければならず、検索のし易さといった点では、紙の辞書での検索と何ら変わらず非常に面倒なものであった。
【００１２】
更に、電子辞書にあっては表示画面が限られ、表示されるデータ量に制限が有る。このため、複数の類義語について双方の解説の違いを見比べたいといった際には、画面をスクロールさせる、或いは画面を切り換える等して類義語毎に解説を表示させなくてはならず、比較のし易さといった点では、紙の辞書に劣っていた。
【００１３】
上記問題に鑑み、本発明は、容易に検索を実行でき、類義語の各情報の比較を容易にすることができる情報表示制御装置を提供することを目的としている。
【００１４】
【課題を解決するための手段】
上記課題を解決するために、請求項１記載の発明は、情報表示制御装置であって、
見出語と該見出語のキーワードとを対応付けて記憶した見出語情報記憶手段（例えば、図２のＲＯＭ４０の見出語テーブル４２）と、
キーワードと該キーワードの語義の情報である語義情報と該キーワードの各語義についての類義語群とを対応付けて記憶したキーワード情報記憶手段（例えば、図２のＲＯＭ４０の見出語テーブル４２）と、
類義語と該類義語の説明情報である類義語説明情報とを対応付けて記憶した類義語情報記憶手段（例えば、図２のＲＯＭ４０の類義語テーブル４３）と、
見出語を選択する見出語選択手段（例えば、図２の入力部２０；図５のステップＳ１１）と、
この見出語選択手段によって選択された見出語のキーワードに対応する語義情報を前記キーワード情報記憶手段から読み出すとともに、当該キーワードに対応付けて前記キーワード情報記憶手段に記憶された類義語群の内、前記選択された見出語に一致する類義語の類義語説明情報を前記類義語情報記憶手段から読み出し、読み出した語義情報と類義語説明情報とを対比して表示する制御を行う第１対比表示制御手段（例えば、図２のＣＰＵ１０；図５のステップＳ１２〜Ｓ２３図８（ａ））と、
を備えることを特徴としている。
【００１５】
また、請求項１６に記載の発明は、
コンピュータに、
見出語と該見出語のキーワードとを対応付けて記憶する見出語情報記憶機能と、
キーワードと該キーワードの語義の情報である語義情報と該キーワードの各語義についての類義語群とを対応付けて記憶するキーワード情報記憶機能と、
類義語と該類義語の説明情報である類義語説明情報とを対応付けて記憶する類義語情報記憶機能と、
見出語を選択する見出語選択機能（例えば、図５のステップＳ１１）と、
この見出語選択機能によって選択された見出語のキーワードに対応する語義情報を前記キーワード情報記憶機能から読み出すとともに、当該キーワードに対応付けて前記キーワード情報記憶機能によって記憶された類義語群の内、前記選択された見出語に一致する類義語の類義語説明情報を前記類義語情報記憶機能から読み出し、読み出した語義情報と類義語説明情報とを対比して表示する制御を行う第１対比表示制御機能（例えば、図５のステップＳ１２〜Ｓ２３）と、
実現させるためのプログラムである。
【００１６】
この請求項１又は１６に記載の発明によれば、見出語が選択されると、選択された見出語のキーワードに対応する語義情報を読み出すとともに、このキーワードに対応する類義語群の内、選択された見出語に一致する類義語の類義語説明情報を読み出し、読み出した語義情報と類義語説明情報とを対比して表示制御することができる。従って、ユーザにとって、語義情報及び類義語説明情報の内容の違いを容易に把握することができ、適切な類義語の検索を簡易に行うことのできる情報表示制御装置等を実現できる。
【００１７】
また、請求項２に記載の発明のように、請求項１に記載の情報表示制御装置において、
前記第１対比表示制御手段は、読み出した類義語説明情報について、読み出した語義情報と合致する部分或いは合致しない部分を他と異なる表示形態で識別表示する制御を行う第１識別表示制御手段（例えば、図２のＣＰＵ１０；図５のステップＳ２２）を有する、こととしても良い。
【００１８】
この請求項２に記載の発明によれば、請求項１に記載の発明と同様の効果を奏するとともに、読み出した類義語説明情報については、読み出した語義情報と合致する部分或いは合致しない部分を所定の表示形態で表示制御することができる。従って、ユーザは、類義語説明情報について、語義情報との内容の違いを視覚的に容易に把握することが可能となる。
尚、ここで識別表示とは、例えば、文字列のフォントや字体を変える、直線や波線等の下線を付加する、反転表示する、囲み線や網掛表示する、表示色を変える等を含む意である。
【００１９】
また、請求項３に記載の発明のように、請求項１又は２に記載の情報表示制御装置において、
前記第１対比表示制御手段は、読み出した語義情報と類義語説明情報とを同一画面に表示する制御を行う第１並列表示制御手段（例えば、図２のＣＰＵ１０；図５のステップＳ２３）を有する、こととしても良い。
【００２０】
この請求項３に記載の発明によれば、請求項１又は２に記載の発明と同様の効果を奏するとともに、読み出した語義情報と類義語説明情報とを同一画面に表示制御することができる。従って、ユーザは、語義情報及び類義語説明情報それぞれの内容の違いを視覚的に容易に把握することが可能となる。
【００２１】
また、請求項４に記載の発明のように、請求項１〜３の何れか一項に記載の情報表示制御装置において、
前記キーワード情報記憶手段は、更に、キーワードの語義毎に語義番号を対応付けて記憶する手段であり、
前記見出語情報記憶手段は、更に、キーワードの語義番号を対応付けて記憶する手段であり、
前記第１対比表示制御手段は、前記選択された見出語のキーワードの語義番号に対応する語義情報を前記キーワード情報記憶手段から読み出すとともに、当該キーワードの語義番号に対応付けて前記キーワード情報記憶手段に記憶された類義語群の内、前記選択された見出語に一致する類義語の類義語説明情報を前記類義語情報記憶手段から読み出して、読み出した語義情報と類義語情報とを対比して表示する手段である、こととしても良い。
【００２２】
この請求項４に記載の発明によれば、請求項１〜３の何れか一項に記載の発明と同様の効果を奏するとともに、見出語が選択されると、選択された見出語のキーワードの語義番号に対応する語義情報を読み出すとともに、このキーワードの語義番号に対応する類義語群の内、選択された見出語に一致する類義語の類義語説明情報を読み出し、読み出した語義情報と類義語説明情報とを対比して表示制御することができる。
【００２３】
また、請求項５に記載の発明のように、請求項１〜４の何れか一項に記載の情報表示制御装置において、
前記選択された見出語のキーワードに対応付けて前記キーワード情報記憶手段に記憶された類義語群の内から一の類義語を選択する類義語選択手段（例えば、図２の入力部２０；図５のステップＳ１８〜Ｓ１９）と、
この類義語選択手段によって選択された類義語の類義語説明情報を前記類義語情報記憶手段から読み出すとともに、前記類義語選択手段によって前回選択された類義語の類義語説明情報を前記類義語情報記憶手段から読み出し、読み出した類義語情報同士を対比して表示する制御を行う第２対比表示制御手段（例えば、図２のＣＰＵ１０；図５のステップＳ２２；図８（ｃ））と、
を備えることとしても良い。
【００２４】
この請求項５に記載の発明によれば、請求項１〜４の何れか一項に記載の発明と同様の効果を奏するとともに、選択された見出語のキーワードに対応する類義語群の内、選択された類義語の類義語説明情報を読み出すとともに、前回選択された類義語の類義語説明情報を読み出し、読み出した類義語説明情報同士を対比して表示制御することができる。従って、ユーザにとって、今回選択した類義語の類義語説明情報と、前回選択した類義語の類義語説明情報との内容の違いを容易に把握することができ、適切な類義語の検索をより簡易に行うことのできる情報表示制御装置を実現できる。
【００２５】
請求項６に記載の発明は、情報表示制御装置であって、
見出語と該見出語のキーワードとを対応付けて記憶した見出語情報記憶手段（例えば、図２のＲＯＭ４０の見出語テーブル４２）と、
キーワードと該キーワードの語義の情報である語義情報と該キーワードの各語義についての類義語群とを対応付けて記憶したキーワード情報記憶手段（例えば、図２のＲＯＭ４０の見出語テーブル４２）と、
類義語と該類義語の説明情報である類義語説明情報とを対応付けて記憶した類義語情報記憶手段（例えば、図２のＲＯＭ４０の類義語テーブル４３）と、
見出語を選択する見出語選択手段（例えば、図２の入力部２０；図５のステップＳ１１）と、
この見出語選択手段によって選択された見出語に対応付けて前記キーワード記憶手段に記憶された類義語群の内から一の類義語を選択する類義語選択手段（例えば、図２の入力部２０；図５のステップＳ１８〜Ｓ１９）と、
この類義語選択手段によって選択された類義語の類義語説明情報を前記類義語情報記憶手段から読み出すとともに、前記類義語選択手段によって前回選択された類義語の類義語説明情報を前記類義語情報記憶手段から読み出し、読み出した類義語説明情報同士を対比して表示する制御を行う第２対比表示制御手段（例えば、図２の入力部２０；図５のステップＳ２１〜Ｓ２４；図８（ｃ））と、
を備えることを特徴としている。
【００２６】
また、請求項１７に記載の発明は、
コンピュータに、
見出語と該見出語のキーワードとを対応付けて記憶する見出語情報記憶機能と、
キーワードと該キーワードの語義の情報である語義情報と該キーワードの各語義についての類義語群とを対応付けて記憶するキーワード情報記憶機能と、
類義語と該類義語の説明情報である類義語説明情報とを対応付けて記憶する類義語情報記憶機能と、
見出語を選択する見出語選択機能（例えば、図５のステップＳ１１）と、
この見出語選択機能によって選択された見出語に対応付けて前記キーワード記憶機能によって記憶された類義語群の内から一の類義語を選択する類義語選択機能（例えば、図５のステップＳ１８〜Ｓ１９）と、
この類義語選択機能によって選択された類義語の類義語説明情報を前記類義語情報記憶機能から読み出すとともに、前記類義語選択機能によって前回選択された類義語の類義語説明情報を前記類義語情報記憶機能から読み出し、読み出した類義語説明情報同士を対比して表示する制御を行う第２対比表示制御機能（例えば、図５のステップＳ２１〜Ｓ２４）と、
を実現させるためのプログラムである。
【００２７】
この請求項６又は１７に記載の発明によれば、見出語が選択されると、この選択された見出語のキーワードに対応する類義語群の内、選択された類義語の類異義語説明情報を読み出すとともに、前回選択された類義語の類義語説明情報を読み出し、読み出した類義語説明情報同士を対比して表示制御することができる。従って、ユーザにとって、今回選択した類義語の類義語説明情報情報と前回選択した類義語の類義語説明情報の内容の違いを容易に把握することができ、適切な類義語の検索をより簡易に行うことのできる情報表示制御装置等を実現することができる。
【００２８】
また、請求項７に記載の発明のように、請求項５又は６に記載の情報表示制御装置において、
前記第２対比表示制御手段は、前記類義語選択手段によって選択された類義語の類義語説明情報について、前記前回選択された類義語の類義語説明情報と合致する部分或いは合致しない部分を他と異なる表示形態で識別表示する制御を行う第２識別表示制御手段（例えば、図２のＣＰＵ１０；図５のステップ２２）を有する、こととしても良い。
【００２９】
この請求項７に記載の発明によれば、請求項５又は６に記載の発明と同様の効果を奏するとともに、選択された類義語の類義語説明情報については、前回選択された類義語の類義語説明情報情報と合致する部分或いは合致しない部分を所定の表示形態で表示制御することができる。
【００３０】
また、請求項８に記載の発明のように、請求項５〜７の何れか一項に記載の情報表示制御装置において、
前記第２対比表示制御手段は、読み出した双方の類義語説明情報を同一画面に表示する制御を行う第２並列表示制御手段（例えば、図２のＣＰＵ１０；図５のステップＳ２３）を有する、こととしても良い。
【００３１】
この請求項８に記載の発明によれば、請求項５から７の何れか一項に記載の発明と同様の効果を奏するとともに、読み出した類義語説明情報同士を同一画面に表示制御することができる。従って、ユーザは、双方の類義語説明情報それぞれの内容の違いを視覚的に容易に把握することが可能となる。
【００３２】
また、請求項９に記載の発明のように、請求項５〜８の何れか一項に記載の情報表示制御装置において、
前記キーワード情報記憶手段は、更に、キーワードの語義毎に語義番号を対応付けて記憶する手段であり、
前記見出語情報記憶手段は、更に、キーワードの語義番号を対応付けて記憶する手段であり、
前記類義語選択手段は、前記選択された見出語のキーワードの語義番号に対応付けて前記キーワード記憶手段に記憶された類義語群の内から一の類義語を選択する手段である、こととしても良い。
【００３３】
この請求項９に記載の発明によれば、請求項５〜８の何れか一項に記載の発明と同様の効果を奏するとともに、選択された見出語のキーワードの語義番号に対応する類義語群の内から一の類義語を選択することができる。従って、ユーザにとって、あるキーワードの語義番号に対応付けられている類義語の類義語説明情報同士を対比して表示制御することができるので、双方の類義語説明情報の内容の違いを容易に把握し、適切な類義語の検索をより簡易に行うことのできる情報表示制御装置を実現できる。
【００３４】
また、請求項１０に記載の発明のように、請求項１〜９の何れか一項に記載の情報表示制御装置において、
前記選択された見出語のキーワードに対応付けて前記キーワード情報記憶手段に記憶された類義語群の内、当該選択された見出語に一致する類義語の類義語説明情報を前記類義語情報記憶手段から読み出すとともに、この一致する類義語以外の他の類義語の類義語説明情報を前記類義語情報記憶手段から読み出し、読み出した類義語説明情報同士を対比して表示する制御を行う第３対比表示制御手段（例えば、図２のＣＰＵ１０；図１２のステップＴ１６；図１６（ａ）〜（ｃ））を更に備える、こととしても良い。
【００３５】
この請求項１０に記載の発明によれば、請求項１〜９の何れか一項に記載の発明と同様の効果を奏するともに、選択された見出語のキーワードに対応する類義語群の内、該選択された見出語に一致する類義語の類義語説明情報を読み出すとともに、他の類義語の類義語説明情報を読み出し、読み出した類義語説明情報同士を対比して表示制御することができる。即ち、同一のキーワードに対応付けられている類義語の類義語説明情報同士を対比して表示制御することができるので、ユーザにとって、双方の類義語説明情報の内容の違いを容易に把握し、適切な類義語の検索をより簡易に行うことのできる情報表示制御装置を実現できる。
【００３６】
請求項１１に記載の発明は、情報表示制御装置であって、
見出語と該見出語のキーワードとを対応付けて記憶した見出語情報記憶手段（例えば、図９のＲＯＭ６０の見出語テーブル４２）と、
キーワードと該キーワードの語義の情報である語義情報と該キーワードの各語義についての類義語群とを対応付けて記憶したキーワード情報記憶手段（例えば、図９のＲＯＭ６０の見出語テーブル４２）と、
類義語と該類義語の説明情報である類義語説明情報とを対応付けて記憶した類義語情報記憶手段（例えば、図９のＲＯＭ６０の類義語テーブル４３）と、
見出語を選択する見出語選択手段（例えば、図２の入力部２０；図１２のステップＳ１１）と、
この見出語選択手段によって選択された見出語のキーワードに対応付けて前記キーワード情報記憶手段に記憶された類義語群の内、当該選択された見出語に一致する類義語の類義語説明情報を前記類義語情報記憶手段から読み出すとともに、この類義語以外の他の類義語の類義語説明情報を前記類義語情報記憶手段から読み出し、読み出した類義語説明情報同士を対比して表示する制御を行う第３対比表示制御手段（例えば、図２のＣＰＵ１０；図１２のステップＳ１２〜Ｓ２４；図１６（ａ）〜（ｃ）））と、
を備えることを特徴としている。
【００３７】
また、請求項１８に記載の発明は、
コンピュータに、
見出語と該見出語のキーワードとを対応付けて記憶する見出語情報記憶機能と、
キーワードと該キーワードの語義の情報である語義情報と該キーワードの各語義についての類義語群とを対応付けて記憶するキーワード情報記憶機能と、
類義語と該類義語の説明情報である類義語説明情報とを対応付けて記憶する類義語情報記憶機能と、
見出語を選択する見出語選択機能（例えば、図１２のステップＳ１１）と、
この見出語選択機能によって選択された見出語のキーワードに対応付けて前記キーワード情報記憶機能によって記憶された類義語群の内、当該選択された見出語に一致する類義語の類義語説明情報を前記類義語情報記憶機能から読み出すとともに、この類義語以外の他の類義語の類義語説明情報を前記類義語情報記憶機能から読み出し、読み出した類義語説明情報同士を対比して表示する制御を行う第３対比表示制御機能（例えば、図１２のステップＳ１２〜Ｓ２４）と、
を実現させるためのプログラムである。
【００３８】
この請求項１１又は１８に記載の発明によれば、見出語が選択されると、選択された見出語のキーワードに対応する類義語群の内、該選択された見出語に一致する類義語の類義語説明情報を読み出すとともに、他の類義語の類義語説明情報を読み出し、読み出した類義語説明情報同士を対比して表示制御することができる。従って、同一のキーワードに対応付けられている類義語の類義語説明情報同士を対比して表示制御することができるので、ユーザにとって、双方の類義語説明情報の内容の違いを容易に把握し、適切な類義語の検索をより簡易に行うことのできる情報表示装置等を実現できる。
【００３９】
また、請求項１２に記載の発明のように、請求項１０又は１１に記載の情報表示制御装置において、
前記第３対比表示制御手段は、読み出した他の類義語の類義語説明情報について、前記選択された見出語に一致する類義語の類義語説明情報と合致する部分或いは合致しない部分を他と異なる表示形態で識別表示する制御を行う第３識別表示制御手段（例えば、図２のＣＰＵ１０；図１２のステップＴ１４）を有する、こととしても良い。
【００４０】
この請求項１２に記載の発明によれば、請求項１０又は１１に記載の発明と同様の効果を奏するとともに、読み出した他の類義語の類義語説明情報については、選択された見出語に一致する類義語の類義語説明情報と合致する部分或いは合致しない部分を所定の表示形態で表示制御することができる。
【００４１】
また、請求項１３に記載の発明のように、請求項１０〜１２の何れか一項に記載の情報表示制御装置において、
前記第３対比表示制御手段は、読み出した双方の類義語説明情報を同一画面に表示する制御を行う第３並列表示制御手段（例えば、図２のＣＰＵ１０；図１２のステップＳ２３）を有する、こととしても良い。
【００４２】
この請求項１３に記載の発明によれば、請求項１０〜１２の何れか一項に記載の発明と同様の効果を奏するとともに、読み出した双方の類義語情報を同一画面に表示制御することができる。従って、ユーザは、双方の類義語説明情報それぞれの内容の違いを視覚的に容易に把握することが可能となる。
【００４３】
また、請求項１４に記載の発明のように、請求項１０〜１３の何れか一項に記載の情報表示制御装置において、
前記キーワード情報記憶手段は、更に、キーワードの語義毎に語義番号を対応付けて記憶する手段であり、
前記見出語情報記憶手段は、更に、キーワードの語義番号を対応付けて記憶する手段であり、
前記第３対比表示制御手段は、前記選択された見出語のキーワードの語義番号に対応付けて前記キーワード情報に記憶された類義語群の内、当該選択された見出語に一致する類義語を前記類義語情報記憶手段から読み出すとともに、この一致する類義語以外の他の類義語の類義語説明情報を前記類義語情報記憶手段から読み出し、読み出した類義語説明情報同士を対比して表示する制御を行う手段である、こととしても良い。
【００４４】
この請求項１４に記載の発明によれば、請求項１０〜１３の何れか一項に記載の発明と同様の効果を奏するとともに、選択された見出語のキーワードの語義番号に対応する類義語群の内、該選択された見出語に一致する類義語の類義語説明情報を読み出すとともに、他の類義語の類義語説明情報を読み出し、読み出した類義語説明情報同士を対比して表示制御することができる。即ち、同一のキーワードの語義番号に対応付けられている類義語の類義語説明情報同士を対比して表示制御することができるので、ユーザにとって、双方の類義語説明情報の内容の違いを容易に把握し、適切な類義語の検索をより簡易に行うことのできる情報表示装置を実現できる。
【００４５】
また、請求項１５に記載の発明のように、請求項１〜１４の何れか一項に記載の情報表示制御装置において、
前記選択された見出語のキーワードに対応付けて記憶された語義情報を前記キーワード情報記憶手段から読み出し、読み出した語義情報と当該キーワードとを同一画面に表示する制御を行う第４並列表示制御手段（例えば、図２のＣＰＵ１０；図５のステップＳ１２〜Ｓ１６、図１２のステップＳ１２〜Ｓ１６）を更に備える、こととしても良い。
【００４６】
この請求項１５に記載の発明によれば、請求項１〜１４の何れか一項に記載の発明と同様の効果を奏するとともに、選択された見出語のキーワードに対応する語義情報を読み出して、読み出した語義情報と該キーワードとを同一画面に表示制御することができる。また、この表示制御は、見出語の選択に引き続いて行われるので、ユーザは、従来と比較してより少ない手順での検索を実現することができる。
【００４７】
【発明の実施の形態】
以下、図面を参照して、本発明の実施の形態を説明する。尚、以下においては、本発明を折り畳み式の携帯型電子辞書に適用した場合について説明するが、本発明の適用がこれに限定されるものではない。
【００４８】
図１は、本発明を適用した携帯型電子辞書１の外観斜視図の一例を示す図である。同図によれば、携帯型電子辞書１は、見出語や説明情報等を表示するためのディスプレイ３、検索語や検索実行指示を入力するための各種キー群５、を備えて構成される。
【００４９】
各種キー群５を構成する各キーにはそれぞれ固有の機能が割り当てられており、ユーザは、これらのキーを押下して携帯型電子辞書１を操作する。この各種キー群５には、辞書種別選択キー５ａ、文字入力キー５ｂ、カーソルキー５ｃ、戻るキー５ｄ、決定キー５ｅ、携帯型電子辞書１の電源ＯＮ／ＯＦＦキー５ｆ、等が含まれる。
【００５０】
以下、この携帯型電子辞書１に適用される２つの実施の形態について、順に説明する。
【００５１】
１．  第１の実施の形態
先ず、図２〜図８を参照して、第１の実施の形態を説明する。
【００５２】
１．１  内部構成
図２は、本実施の形態における携帯型電子辞書１の内部構成の一例を示すブロック図である。同図によれば、携帯型電子辞書１は、ＣＰＵ１０、入力部２０、表示部３０、ＲＯＭ４０、ＲＡＭ５０、を備えて構成される。
【００５３】
ＣＰＵ１０は、入力される指示に応じて所定のプログラムに基づいた所定の処理を実行し、各部への指示やデータの転送等を行い、携帯型電子辞書１を統括的に制御する。具体的には、ＣＰＵ１０は、入力部２０から入力されるキーの押下信号等に応じてＲＯＭ４０に格納されたプログラムを読み出し、当該プログラムに従って処理を実行する。そして、処理結果をＲＡＭ５０に保存するとともに、当該処理結果を表示するための表示信号を表示部３０に出力して、対応する表示情報を表示させる。特に、本実施の形態において、ＲＯＭ４０の類語辞典検索第１プログラム４５に従った第１類語辞典検索処理（図５参照）を実行する。
【００５４】
入力部２０は、仮名やアルファベット等の文字入力や機能選択等に必要なキーを備えた入力装置で構成され、押下されたキーの押下信号等をＣＰＵ１０に出力する。この入力部２０におけるキー操作により、特に、辞書種別の選択、検索語の入力、検索実行指示、等の入力手段が実現される。尚、この入力部２０は、図１の各種キー群５に相当する。
【００５５】
表示部３０は、ＣＰＵ１０から入力される表示信号に基づいて各種画面を表示する表示装置で構成され、ＬＣＤ（Ｌｉｑｕｉｄ  Ｃｒｙｓｔａｌ  Ｄｉｓｐｌａｙ）やＥＬＤ（Ｅｌｅｃｔｒｏｎｉｃ  Ｌｕｍｉｎｅｓｃｅｎｔ  Ｄｉｓｐｌａｙ）等で構成される。尚、この表示部３０は、図１のディスプレイ３に相当する。
【００５６】
ＲＯＭ４０には、各種初期設定やハードウェアの検査、必要なプログラムのロード等を行うための初期プログラムが格納される。ＣＰＵ１０は、携帯型電子辞書１の電源投入時においてこの初期プログラムを実行することにより、携帯型電子辞書１の動作環境を設定する。
【００５７】
また、ＲＯＭ４０には、携帯型電子辞書１の動作に係る各種処理プログラムや携帯型電子辞書１の備える種々の機能を実現するためのプログラムやデータ等が格納される。特に、本実施の形態においては、類語辞典ＤＢ４１、第１類語辞典検索プログラム４５、が格納されている。
【００５８】
類語辞典ＤＢ４１は、類語辞典の辞書データベースであり、これには、見出語テーブル４２、類義語テーブル４３、が含まれる。
【００５９】
図３は、本実施の形態に関連するデータ部分を示した見出語テーブル４２（第１、第２の実施の形態を通じて包括的に「見出語テーブル４２」と称し、第１の実施の形態においては特に「見出語テーブル４２ａ」と称する。）のデータ構成の一例を示す図である。同図によれば、見出語テーブル４２ａには、見出語と、該見出語の説明情報と、キーワードフラグと、が対応付けて格納されている。
【００６０】
ここで、見出語には、キーワードである見出語と、キーワードでない見出語とが含まれる。キーワードとは、語義で分類された類義語の上位区分である。そして、キーワードである見出語（以下、単に「キーワード」と称する。）については、キーワードフラグが“１”に設定され、これ以外の見出語（キーワードでない見出語）については、キーワードフラグが“０”に設定されている。同図においては、見出語“ＥＸＰＥＲＩＥＮＣＥＤ”がキーワードである。
【００６１】
また、キーワードと、キーワードでない見出語とでは、対応付けられている説明情報の構成が異なる。即ち、キーワードの説明情報は、該キーワードの概説データ８１、語義データ８２及び類義語データ８３より構成される。ここで、概説データ８１は特に含まれなくとも良い。また、語義データ８２及び類義語データ８３は、キーワードの語義毎に語義番号と対応付けられている。尚、語義の数は１又は複数であり、キーワードによって異なる。また、語義の数が１である場合には、語義番号は省略される。具体的には、見出語“ＥＸＰＥＲＩＥＮＣＥＤ”の説明情報には、概説データ８１ａ、複数（同数）の語義データ８２及び類義語データ８３が含まれる。
【００６２】
また、キーワードでない見出語の説明情報は、参照マーク９１、この参照マーク９１に続くキーワード９２及び語義番号９３より構成される。尚、説明情報に含まれるキーワードは一つに限らず、複数でも良い。その場合には、各キーワードそれぞれが参照マーク９１に続いて設定される。また、キーワード９２の語義が一つの場合には、語義番号９３は設定されない。具体的には、見出語“ｒｏｏｋｉｅ”の説明情報には、それぞれ１つづつの参照マーク９１、キーワード９２ａ、語義番号９３ａが含まれる。
【００６３】
図４は、本実施の形態に関連するデータ部分を示した類義語テーブル４３（第１、第２の実施の形態を通じて包括的に「類義語テーブル４３」と称し、第１の実施の形態においては特に「類義語テーブル４３ａ」と称する。）のデータ構成の一例を示す図である。同図によれば、類義語テーブル４３ａには、キーワードと、該キーワードの語義番号と、類義語情報と、が対応付けて格納されている。尚、語義が一つのキーワードについては、語義番号は設定されない。具体的には、図３に示したキーワード“ＥＸＰＥＲＩＥＮＣＥＤ”の語義番号“４”についての類義語情報が示されている。
【００６４】
類義語情報には、類義語と、該類義語の解説データ及び用例データとが含まれる。ここで類義語は、見出語テーブル４２において、対応するキーワードの語義番号に対応付けられた類義語データ８２に含まれる類義語である。
【００６５】
ＲＡＭ５０は、ＣＰＵ１０が実行する各種処理プログラムや、これらのプログラムの実行に係るデータ等を一時的に保持する格納領域（メモリ）を備える。特に、本実施の形態においては、第１類語辞典検索処理において、入力された検索語に一致する見出語の内から選択された見出語（以下、適宜「選択見出語」と称する。）を保持する選択見出語格納領域５１、選択見出語に対応する説明情報（以下、適宜「選択説明情報」と称する。）を保持する選択説明情報格納領域５２、選択説明情報から抽出されたキーワード（以下、適宜「参照キーワード」と称する。）を保持する参照キーワード格納領域５３、選択説明情報から抽出された語義番号（以下、適宜「参照語義番号」と称する。）を保持する参照語義番号格納領域５４、参照キーワードに対応する説明情報（以下、適宜「参照説明情報」と称する。）を保持する参照説明情報格納領域５５、選択された類義語（以下、適宜「選択類義語」と称する。）を保持する選択類義語格納領域５６、参照キーワード及び参照語義番号に対応する類義語情報（以下、適宜「参照類義語」と称する。）を保持する参照類義語情報格納領域５７、前回選択された類義語（以下、適宜「前回選択類義語」と称する。）を保持する前回選択類義語格納領域５８、が形成される。
【００６６】
１．２  動作
次に、本実施の形態における携帯型電子辞書１の動作を説明する。
図５、図６は、第１類語辞典検索処理に係る携帯型電子辞書１の動作を説明するためのフローチャートであり、図７、図８は、第１類語辞典検索処理の実行中に表示部３０に表示される表示画面の遷移例を示す図である。尚、この第１類語辞典検索処理は、辞書種別として類語辞典が指定され、ＣＰＵ１０がＲＯＭ４０の第１類語辞典検索プログラム４５を読み出して実行することで実現される動作である。
【００６７】
図５によれば、先ず、ＣＰＵ１０は、ユーザが検索語を入力するための検索語入力画面を表示部３０に表示させる。この検索語入力画面において、ユーザは、文字入力キー５ｂを操作して検索したい語句（検索語）を入力する。検索語が入力されると、ＣＰＵ１０は、入力された検索語に適合する見出語の候補を一覧表示させる（ステップＳ１１）。
【００６８】
図７（ａ）は、この段階での表示画面の一例を示す図である。同図によれば、検索語入力領域１０１に検索語として「ｒｏｏ」が入力され、一覧表示された見出語の候補の内、見出語「ｒｏｏｋｉｅ」が反転表示されている。尚、ここで反転表示される見出語の候補は、カーソルキー５ｃの操作によって変更される。
【００６９】
そして、この検索語入力画面において決定キー５ｅが操作されると、ＣＰＵ１０は、反転表示されている見出語を選択見出語に設定し、見出語テーブル４２ａから、選択見出語に対応する説明情報を読み出す（ステップＳ１２）。
【００７０】
次いで、ＣＰＵ１０は、読み出した説明情報（即ち、選択説明情報）中の参照マーク９１を検知し、これに続くキーワード９２ａ及び該キーワード９２ａの語義番号９３ａを抽出する（ステップＳ１３）。そして、見出語テーブル４２ａから、抽出したキーワード９２ａ（即ち、参照キーワード）に対応する説明情報を読み出す（ステップＳ１４）。
【００７１】
その後、ＣＰＵ１０は、これらの選択見出語、選択説明情報、参照キーワード及びステップＳ１４にて読み出した説明情報（即ち、参照説明情報）に基づいて検索結果画面用の画面データを生成し、この画面データに基づいた検索結果画面を表示部３０に表示させる（ステップＳ１５）。
【００７２】
図７（ｂ）は、この段階での表示画面の一例を示す図である。同図によれば、検索結果画面は、該画面の上部に形成された入力情報表示領域１１０、下部に形成された参照情報表示領域１３０、を有して構成される。入力情報表示領域１１０には、選択見出語１１１ａ及び選択説明情報１１２ａが表示され、参照情報表示領域１３０には、参照キーワード１３１ａ及び参照説明情報１３２ａが表示されている。尚、参照説明情報１３２ａについては、その一部（先頭部分）のみが表示されている。
【００７３】
検索結果画面を表示させると、続いて、ＣＰＵ１０は、参照語義番号の語義データが参照情報表示領域１３０の上端位置から表示されるよう、参照情報表示領域１３０における表示をスクロールさせる（ステップＳ１６）。このとき、ＣＰＵ１０は、参照説明情報中の参照語義番号に対応する類義語データ８３の内、選択見出語と一致する類義語を反転表示させるとともに、参照語義番号の解説アイコンを反転表示させる（ステップＳ１７）。
【００７４】
図７（ｃ）は、この段階での表示画面の一例を示す図である。同図によれば、参照説明表示領域１３０における表示が下方向に自動的にスクロールされ、参照語義番号である語義番号「４」の語義１３３ａ及び類義語群１３４ａが、参照情報表示領域１３０の上端位置から順に表示されている。また、類義語群１３４ａの内、選択見出語１１１ａに一致する類義語１３５ａが反転表示されるとともに、語義番号「４」の解説アイコン１３６ａが反転表示されている。
【００７５】
そして、この検索結果画面において決定キー５ｅが操作されると（ステップＳ１８：ＮＯ〜ステップＳ２０：ＹＥＳ）、ＣＰＵ１０は、反転表示されている類義語１３５ａを選択類義語に設定するとともに、類義語テーブル４３ａから参照キーワード及び参照語義番号に対応する類義語情報を読み出す（ステップＳ２１）。
【００７６】
次いで、ＣＰＵ１０は、読み出した類義語情報（即ち、参照類義語情報）に対する第１識別処理を実行して解説画面用の画面データを生成し（ステップＳ２２）、この画面データに基づいた解説画面を表示部３０に表示させる（ステップＳ２３）。尚、第１識別処理の詳細については後述する。
【００７７】
解説画面を表示させると、続いて、ＣＰＵ１０は、参照類義語情報に含まれる類義語の内、選択類義語に一致する類義語が画面の上端部分に表示されるよう、解説画面における表示をスクロールさせる（ステップＳ２４）。
【００７８】
図８（ａ）は、この段階での表示画面の一例を示す図である。同図によれば、解説画面における表示が下方向に自動的にスクロールされ、選択類義語１５１ａと、この選択類義語１５１ａの解説１５２ａ及び用例１５３ａとが、画面の上端位置から順に表示されている。また、解説１５２ａについては、図７（ｃ）に示した語義１３３ａと異なる部分に下線が付加されている。
【００７９】
そして、この解説画面において戻るキー５ｄが操作されると（ステップＳ２５：ＹＥＳ）、ＣＰＵ１０は、選択類義語を前回選択類義語に設定し（ステップＳ２６）、当該解説画面への遷移直前の表示画面、即ち、図７（ｃ）に示した検索結果画面を再度表示部３０に表示させる（ステップＳ２７）。その後、ステップＳ１８に移行する。
【００８０】
そして、再度表示された検索結果画面においてカーソルキー５ｃが操作されると（ステップＳ１８：ＹＥＳ）、ＣＰＵ１０は、このキー操作に応じて反転表示させる類義語を変更する（ステップＳ１９）。
【００８１】
図８（ｂ）は、この段階での表示画面の一例を示す図である。同図によれば、図７（ｃ）に示した類義語１３５ａに代えて、類義語１３５ｂが反転表示されている。
【００８２】
そして、この検索結果画面において決定キー５ｅが操作されると（ステップＳ２０：ＹＥＳ）、ＣＰＵ１０は、反転表示されている類義語１３５ｂを選択類義語に設定し、上述したステップＳ２１〜Ｓ２４を同様に実行して、図８（ｃ）に示す解説画面を表示部３０に表示させる。
【００８３】
図８（ｃ）は、この段階での表示画面の一例を示す図である。同図によれば、解説画面における表示が下方向に自動的にスクロールされ、選択類義語１５１ｂと、該選択類義語１５１ｂの解説１５２ｂ及び用例１５３ｂとが、画面の上端位置から順に表示されている。また、解説１５２ｂについては、図７（ｃ）に示した語義１３３ａと異なる部分に直線の下線が付加されているとともに、一致する部分が太字で表示され、更に、前回選択類義語である類義語１５１ａの解説１５２ａと異なる部分に波線の下線が付加されている。
【００８４】
そして、終了指示が入力された場合には（ステップＳ２８：ＮＯ）、ＣＰＵ１０は、本第１類語辞典検索処理を終了し、また、これ以外の指示が入力された場合には（ステップＳ２８：ＮＯ）、該指示に応じた処理を実行する。
【００８５】
図５のステップＳ２２にて実行される第１識別処理について説明する。
図６は、第１識別処理に係る携帯型電子辞書１の動作を説明するためのフローチャートである。
【００８６】
図６によれば、ＣＰＵ１０は、先ず、参照類義語情報に含まれる類義語の内、選択類義語に一致する類義語の解説データと、入力情報説明情報中の参照語義番号の語義データとを語句単位で比較する（ステップＳ２２１）。即ち、図７（ｃ）に示す表示画面にて決定キー５ｅが操作された場合には、類義語“ｒｏｏｋｉｅ”の解説データ８５ａとキーワード“ＥＸＰＥＩＲＥＮＣＥＤ”の語義番号“４”の語義データ８２ａとを比較する。また、図８（ｂ）に示す表示画面にて決定キー５ｅが操作された場合には、類義語“ｎｏｖｉｃｅ”の解説データ８５ｂとキーワード“ＥＸＰＥＩＲＥＮＣＥＤ”の語義番号“４”の語義データ８２ａとを比較する。
【００８７】
比較の結果、選択類義語の解説データの各語句について、参照語義番号の語義データと一致する語句については、これを太字に変更するとともに（ステップＳ２２２）、一致しない（異なる）語句については、これに直線の下線を付加する（ステップＳ２２３）。
【００８８】
次いで、ＣＰＵ１０は、前回選択類義語の有無を判定し、前回選択類義語有りの場合には（ステップＳ２２４：ＹＥＳ）、参照類義語情報に含まれる類義語の内、選択類義語に一致する類義語の解説データと、前回選択類義語の解説データとを語句単位で比較する（ステップＳ２２５）。即ち、図７（ｃ）に示す表示画面にて決定キー５ｅが操作された場合には、前回選択類義語が設定されていないので、ステップＳ２２８の処理を行わない。また、図８（ｂ）に示す表示画面にて決定キー５ｅが操作された場合には、類義語“ｎｏｖｉｃｅ”の解説データ８５ｂと、類義語“ｒｏｏｋｉｅ”の解説データ８５ａと、を比較する。
【００８９】
比較の結果、選択類義語の解説データの各語句について、前回選択類義語の解説データと異なる語句については、これに波線の下線を付加する（ステップＳ２２６）。
【００９０】
このように、参照類義語情報に含まれる類義語の内、選択類義語と一致する類義語の解説データの各語句を所定の表示形態（太字、直線或いは波線の下線付加）に変更すると、ＣＰＵ１０は、この表示形態を変更した参照類義語情報及び選択類義語に基づいて解説画面用の画面データを生成する。その後、本第１識別処理を終了して、図５のステップＳ２３に戻る。
【００９１】
１．３  効果
以上のように、本実施の形態によれば、検索語を入力して見出語の候補を選択すると、例えば図７（ｃ）に示したように、この見出語に対応する説明情報（選択説明情報）と選択見出語のキーワードの説明情報（参照説明情報）とが同一画面に表示され、且つ参照語義番号まで自動的にスクロールされた検索結果画面が表示される。また、この検索結果画面において決定キー５ｅを操作すると、例えば図８（ａ）に示したように、反転表示されて選択された類義語（即ち、選択見出語に一致する類義語）まで自動的にスクロールされた解説画面が表示される。従って、従来よりキー操作が少ない簡易な操作で、所望の類義語の情報を表示させることができる。
【００９２】
更に、解説画面においては、例えば、図８（ａ）又は（ｃ）に示したように、選択された類義語の解説については、キーワードの語義や前回選択された類義語の解説と合致する部分或いは合致しない部分が太線で表示されたり、直線或いは波線の下線が付加されるといった具合に識別表示される。従って、各類義語それぞれの内容を容易に比較し、より適切な類義語を簡易に検索することが可能となる。
【００９３】
２．  第２の実施の形態
次に、図９〜図１６を参照して、第２の実施の形態を説明する。
【００９４】
２．１  内部構成
本実施の形態における携帯型電子辞書１の内部構成は、第１の実施の形態において図２に示したＲＯＭ４０及びＲＡＭ５０を、それぞれ、図９に示すＲＯＭ６０及びＲＡＭ７０に置き換えた構成と同様である。このため、以下では、第１の実施の形態と同一要素については同符号を付し、その詳細な説明を省略或いは簡略する。
【００９５】
図９は、本実施の形態におけるＲＯＭ６０及びＲＡＭ７０の構成の一例を示す図である。図９（ａ）によれば、ＲＯＭ６０には、類語辞典ＤＢ４１、第２類語辞典検索プログラム４６、が格納される。また、類語辞典ＤＢ４１には、見出語テーブル４２、類義語テーブル４３、が含まれる。
【００９６】
図１０は、本実施の形態に関連するデータ部分を示した見出語テーブル４２（第２の実施の形態においては特に「見出語テーブル４２ｂ」と称する。）のデータ構成例を示す図である。この見出語テーブル４２ｂは、図３に示した見出語テーブル４２ａと同様のデータ構成であり、見出語“ＳＰＥＥＤ”及び“ＷＡＬＫ”がキーワードである。
【００９７】
そして、キーワード“ＳＰＥＥＤ”の説明情報には、概説データが含まれず、該キーワードの語義は一つであるので、それぞれ一つづつの語義データ８２ｂ及び類義語データ８３ｂが含まれる。また、キーワード“ＷＡＬＫ”の説明情報には、概説データを含まず、複数（同数）の語義データ８２及び類義語データ８３が含まれる。
また、キーワードでない見出語“ｐａｃｅ”の説明情報には、それぞれ３つづつの参照マーク９１、キーワード９２、語義番号９３が含まれる。
【００９８】
図１１は、本実施の形態に関連するデータ部分を示した類義語テーブル４３（第２の実施の形態においては特に「類義語テーブル４３ｂ」と称する）のデータ構成の一例を示す図である。この類義語テーブル４３は、図４に示した類義語テーブル４３ａと同様のデータ構成であり、図１０に示したキーワード“ＳＰＥＥＤ”についての類義語情報、キーワード“ＷＡＬＫ”についての類義語情報が示されている。
【００９９】
また、図９（ｂ）によれば、ＲＡＭ７０には、選択見出語格納領域５１、選択説明情報格納領域５２、参照キーワード格納領域５３、参照語義番号格納領域５４、参照説明情報格納領域５５、選択類義語格納領域５６、参照類義語情報格納領域５７画形成されるとともに、第２識別処理において参照キーワード及び参照語義番号に該当する語義データとの比較対象となる類義語（以下、適宜「指定類義語」と称する。）を保持する指定類義語格納領域７１、が形成される。
【０１００】
２．２  動作
次に、本実施の形態における携帯型電子辞書１の動作を説明する。
図１２、図１３は、第２類語辞典検索処理に係る携帯型電子辞書１の動作を説明するためのフローチャートであり、図１４〜図１６は、第２類語辞典検索処理において表示部３０に表示される表示画面の遷移例を示す図である。尚、この第２類語辞典検索処理は、辞書種別として類語辞典が指定され、ＣＰＵ１０がＲＯＭ６０の第２類語辞典検索プログラム４６を読み出して実行することで実現される処理である。尚、図１２において、図５と同一ステップについては同一のステップ番号が付されている。
【０１０１】
図１２によれば、ＣＰＵ１０は、先ず、検索語入力画面を表示部３０に表示させる（ステップＳ１１）。そして、図１４（ａ）に示すように、検索語入力画面において見出語「ｐａｃｅ」が反転表示され、決定キー５ｅが操作されると、この反転表示されている見出語を選択見出語に設定する。その後、上述した第１の実施の形態と同様にステップＳ１２〜Ｓ１７の処理を行い、検索結果画面を表示部３０に表示させる。
【０１０２】
図１４（ｂ）は、この段階での表示画面の一例を示す図である。同図によれば、入力情報表示領域１１０には、選択見出語１１１ｃ及び選択説明情報１１２ｃが表示され、参照情報表示領域１３０には、参照キーワード１３１ｃ及び参照説明情報１３２ｃが表示されている。そして、選択説明情報１１２ｃについては、一つ目のキーワード１１３ｃが反転表示されるとともに、参照説明情報１３２ｃについては、類義語群１３４ｃの内、選択見出語１１１ｃに一致する類義語１３５ｃが反転表示されている。また、解説アイコン１３６ｃが反転表示されている。
【０１０３】
尚ここで、選択説明情報には、上述のように、複数（３つ）のキーワードが含まれる。この場合、ステップＳ１３においては、先頭の参照マーク９１ｂに続くキーワード９２ｂを、参照キーワードとする。尚、キーワード“ＳＰＥＥＤ”の語義は上述のように一つであるため、参照語義番号は設定されない。
【０１０４】
また、参照説明情報のデータ量が少ないため、図１４（ｂ）に示すように、この参照説明情報の全てが参照情報表示領域１３０に表示される。この場合、ステップＳ１６においては、参照情報表示領域１３０におけるスクロールは特に行わない。
【０１０５】
そして、この検索結果画面において決定キー５ｅが操作されると（ステップＴ１１：ＮＯ〜ステップＴ１３：ＮＯ〜ステップＴ１５：ＹＥＳ）、ＣＰＵ１０は、反転表示されている見出語１３５ｃを選択見出語に設定するとともに、類義語テーブル４３から参照キーワード及び参照語義番号に対応する類義語情報を読み出す（ステップＴ１６）。
【０１０６】
次いで、ＣＰＵ１０は、読み出した類義語情報（即ち、参照類義語情報）に対する第２識別処理を実行して解説画面用の画面データを生成し（ステップＴ１７）、この画面データに基づいた解説画面を表示部３０に表示させる（ステップＳ２３）。尚、第２識別処理の詳細については後述する。
【０１０７】
解説画面を表示させると、ＣＰＵ１０は、上述した第１の実施の形態と同様に、参照類義語情報に含まれる類義語の内、選択類義語に一致する類義語が画面の上端部分に表示されるよう、解説画面における表示をスクロールさせる（ステップＳ２４）。
【０１０８】
図１４（ｃ）は、この段階での表示画面の一例を示す図である。同図によれば、解説画面における表示が下方向に自動的にスクロールされ、選択類義語１５１ｃと、この選択類義語１５１ｃの解説１５２ｃ及び用例１５３ｃとが、画面の上端位置から順に表示されている。また、解説１５２ｃについては、図１４（ｂ）に示した参照キーワード１３１ｃの語義１３３ｃと異なる部分に直線の下線が付加されている。
【０１０９】
また、ステップＴ１１において、参照キーワード変更指示が入力された場合には（ステップＴ１１：ＹＥＳ）、ＣＰＵ１０は、表示されている検索結果画面において、入力情報表示領域１１０の反転表示されるキーワードを変更可能とし、カーソルキー５ｃの操作に応じて、反転表示させるキーワードを変更する。
【０１１０】
図１５（ａ）は、この段階での表示画面の一例を示す図である。同図によれば、選択説明情報中の反転表示されているキーワードが、キーワード１１３ｃからキーワード１１３ｄに変更されている。
【０１１１】
そして、この検索画面において決定キー５ｅが操作されると、ＣＰＵ１０は、反転表示されているキーワード１１３ｄを参照キーワードに設定を変更して（ステップＴ１２）、ステップＳ１４に戻る。その後、上述したステップＳ１４〜Ｓ１７を同様に実行して、例えば図１５（ｂ）に示すように、検索結果画面を表示部３０に表示させる。
【０１１２】
図１５（ｂ）は、この段階での表示画面の一例を示す図である。同図によれば、参照情報表示領域１３における表示が下方向に自動的にスクロールされ、参照説明情報中の参照語義番号である語義番号「２」の語義１３３ｄ及び類義語群１３４ｄが、参照情報表示領域１３０の上端位置から順に表示されている。また、類義語群１３４ｄの内、選択見出語１１１ｃに一致する類義語１３５ｄが反転表示されているとともに、語義番号「２」の解説アイコン１３６ｄが反転表示されている。
【０１１３】
そして、この検索結果画面において決定キー５ｅが操作されると（ステップＴ１１：ＮＯ〜ステップＴ１３：ＮＯ〜ステップＳ２１：ＹＥＳ）、ＣＰＵ１０は、反転表示されている類義語１３５ｄを選択類義語に設定し、上述したステップＴ１６〜Ｓ２４を同様に実行して、例えば図１６（ａ）に示すように、解説画面を表示部３０に表示させる。
【０１１４】
図１６（ａ）は、この段階での表示画面の一例を示す図である。同図によれば、解説画面における表示が下方向に自動的にスクロールされ、選択類義語１５１ｄと、この選択類義語１５１ｄの解説１５２ｄ及び用例１５３ｄとが、画面の上端位置から順に表示されている。また、解説１５２ｄについては、図１５（ａ）に示した参照語義番号である語義番号「２」の語義１３３ｄと異なる部分に直線の下線が付加されているとともに、一致する部分が太字で表示されている。
【０１１５】
そして、この解説画面においてカーソルキー５ｃが操作されると（ステップＴ１８：ＹＥＳ）、ＣＰＵ１０は、このキー操作に応じて、解説画面における表示をスクロールする（ステップＴ１９）。
【０１１６】
例えば、上方向へのスクロールが指示されると、ＣＰＵ１０は、解説画面における表示を上方向へスクロールさせ、例えば図１６（ｂ）に示すように、解説画面を表示部３０に表示させる。
【０１１７】
図１６（ｂ）は、この段階での表示画面の一例を示す図である。同図によれば、選択類義語１５１ｄとは異なる類義語１５１ｅと、この類義語１５１ｅの解説１５２ｅ及び用例１５３ｅとが表示されている。また、解説１５２ｅについては、図１５（ｂ）に示した語義番号「２」の語義１３３ｄと異なる部分に直線の下線が付加されているとともに、一致する部分が太字で表示されている。更に、図１５（ａ）に示した選択類義語１５１ｄの解説１５２ｃと異なる部分に波線の下線が付加されている。
【０１１８】
また更に上方向へのスクロールが指示されると、ＣＰＵ１０は、解説画面における表示を更に上方向へスクロールさせ、例えば図１６（ｃ）に示すように、解説画面を表示部３０に表示させる。
【０１１９】
図１６（ｃ）は、この段階での表示画面の一例を示す図である。同図によれば、選択類義語１５１ｄとは異なる類義語１５１ｆと、この類義語１５１ｆの解説１５２ｆ及び用例１５３ｆが表示されている。また、解説１５２ｆについては、図１５（ｂ）に示した参照語義番号である語義番号「２」の語義１３３ｄと異なる部分に直線の下線が付加されているとともに、一致する部分が太字で表示されている。更に、図１６（ａ）に示した選択類義語１５１ｄの解説１５２ｄと異なる部分に波線の下線が付加されている。
【０１２０】
そして、終了指示が入力された場合には（ステップＳ２８：ＹＥＳ）、ＣＰＵ１０は、本第２類語辞典検索処理を終了し、また、これ以外の指示が入力された場合には（ステップＳ２８：ＮＯ）、該指示に応じた処理を実行する。
【０１２１】
図１２のステップＴ１７にて実行される第２識別処理について説明する。
図１３は、第２識別処理に係る携帯型電子辞書１の動作を説明するためのフローチャートである。
【０１２２】
図１３によれば、ＣＰＵ１０は、参照類義語情報に含まれる類義語の内、先ず一つ目の類義語を指定する（ステップＴ１７１）。そして、該指定した類義語（以下、適宜「指定類義語」と称する。）の解説データを、参照語義番号の語義データと、語句単位で比較する（ステップＴ１７２）。即ち、図１４（ｂ）に示す表示画面にて決定キー５ｅが操作された場合には、一つ目の類義語“ｓｐｅｅｄ”の解説データ８５ｃとキーワード“ＳＰＥＥＤ”の語義データ８２ｂとを比較する。また、図１５（ａ）に示す表示画面にて決定キー５ｅが操作された場合には、類義語“ｓｔｒｉｄｅ”の解説データ８５ｅとキーワード“ＷＡＬＫ”の語義データ８２ｂとを比較する。
【０１２３】
比較の結果、指定類義語の解説データの各語句の内、参照語義番号の語義データと一致する語句については、これを太字に変更するとともに（ステップＴ１７３）、一致しない（異なる）語句については、これに直線の下線を付加する（ステップＴ１７４）。
【０１２４】
次いで、ＣＰＵ１０は、指定類義語が選択類義語であるか否かを判断し、指定類義語が選択類義語である場合には（ステップＴ１７５：ＹＥＳ）、指定類義語の解説データを、選択類義語の解説データと語句単位で比較する（ステップＴ１７６）。
【０１２５】
比較の結果、指定類義語の解説データの各語句の内、選択類義語の解説データと異なる語句についてはこれに波線の下線を付加する（ステップＴ１７６）。
【０１２６】
その後、ＣＰＵ１０は、参照類義語情報に含まれる類義語の内、指定類義語の次の類義語を新たな指定類義語に設定し（ステップＴ１７８：ＮＯ〜Ｓ１７９）、ステップＴ１７２に戻る。その後、上述したステップＴ１７２〜Ｔ１７７を同様に実行する。
【０１２７】
そして、参照類義語情報に含まれる全ての類義語を順次指定類義語に設定し、当該指定類義語の解説データを所定の表示形態（太字、直線或いは波線の下線付加）に変更すると（ステップＴ１７８：ＹＥＳ）、ＣＰＵ１０は、この表示形態を変更した参照類義語情報に基づいて、解説画面用の画面データを生成する。その後、本第２識別処理を終了して、図１２のステップＳ２３へ戻る。
【０１２８】
２．３  効果
以上のように、本実施の形態によれば、検索語を入力して見出語の候補を選択すると、例えば図１４（ｂ）に示したように、この見出語に対応する説明情報（選択説明情報）と選択見出語のキーワードの説明情報（参照説明情報）とが同一画面に表示され、且つ参照語義番号まで自動的にスクロールされた検索結果画面が表示される。また、この検索結果画面において決定キー５ｅを操作すると、例えば図１４（ｃ）に示したように、反転表示されて選択された類義語（即ち、選択見出語に一致する類義語）まで自動的にスクロールされた解説画面が表示される。従って、従来よりキー操作が少ない簡易な操作で、所望の類義語の情報を表示させることができる。
【０１２９】
更に、解説画面においては、例えば、図１５（ａ）〜（ｃ）に示したように、選択された類義語の解説については、キーワードの語義と合致する部分或いは異なる（合致しない）部分が太線で表示されたり、或いは直線の下線が付加されるとともに、選択された類義語以外の他の類義語の解説については、更に、選択された類義語の解説と異なる（合致しない）部分に波線の下線が付加されるといった具合に識別表示される。従って、各類義語それぞれの内容を容易に比較し、より適切な類義語を簡易に検索することが可能となる。
【０１３０】
３．  変形例
尚、本発明が適用可能な実施の形態は、上述した実施の形態に限定されるものではなく、本発明の趣旨を逸脱しない範囲で適宜変更可能である。
【０１３１】
例えば、上述した実施の形態においては、検索結果画面において決定キー５ｅが操作されると、解説画面に切り換えて表示することとしたが、双方の画面の内容、具体的には、検索結果画面における参照説明情報と、解説画面における参照類義語情報とを同一画面に表示することとしても良い。その際には、例えば、図５のステップＳ２３において、参照説明情報及び参照類義語情報を含む画面データを生成して、これに基づいて表示画面を表示すれば良い。
【０１３２】
また、上述した実施の形態においては、類義語の解説について、キーワードの語義や他の類義語と比較して太線に変更する、直線或いは波線の下線を付加する等の識別表示を行ったが、これを、文字列のフォントやサイズ、或いは字体を変える、反転表示する、囲み線や網掛表示する、表示色を変更する、等しても良い。
【０１３３】
更に、上述した実施の形態では、見出語が選択されると、自動的に該見出語に対応する説明情報を読み出し、これからキーワードを抽出して該キーワードに対応する説明情報を読み出して検索結果画面を表示することとしたが、この自動的な検索の実行可能／不可能をユーザが指定するモードを設けることとしても良い。具体的には、例えば、このモードが「オート」に設定されている場合には上述の検索を自動的に実行し、「通常」に設定されている場合には、図１７、図１８に示した従来の検索を実行することとすれば良い。
【０１３４】
【発明の効果】
請求項１又は１６に記載の発明によれば、見出語が選択されると、選択された見出語のキーワードに対応する語義情報を読み出すとともに、このキーワードに対応する類義語群の内、選択された見出語に一致する類義語の類義語説明情報を読み出し、読み出した語義情報と類義語説明情報とを対比して表示制御することができる。従って、ユーザにとって、語義情報及び類義語説明情報の内容の違いを容易に把握することができ、適切な類義語の検索を簡易に行うことのできる情報表示制御装置等を実現できる。
【０１３５】
また、請求項２に記載の発明によれば、読み出した類義語説明情報については、読み出した語義情報と合致する部分或いは合致しない部分を所定の表示形態で表示制御することができる。従って、ユーザは、類義語説明情報について、語義情報との内容の違いを視覚的に容易に把握することが可能となる。
【０１３６】
また、請求項３に記載の発明によれば、読み出した語義情報と類義語説明情報とを同一画面に表示制御することができる。従って、ユーザは、語義情報及び類義語説明情報それぞれの内容の違いを視覚的に容易に把握することが可能となる。
【０１３７】
また、請求項４に記載の発明によれば、見出語が選択されると、選択された見出語のキーワードの語義番号に対応する語義情報を読み出すとともに、このキーワードの語義番号に対応する類義語群の内、選択された見出語に一致する類義語の類義語説明情報を読み出し、読み出した語義情報と類義語説明情報とを対比して表示制御することができる。
【０１３８】
また、請求項５に記載の発明によれば、選択された見出語のキーワードに対応する類義語群の内、選択された類義語の類義語説明情報を読み出すとともに、前回選択された類義語の類義語説明情報を読み出し、読み出した類義語説明情報同士を対比して表示制御することができる。従って、ユーザにとって、今回選択した類義語の類義語説明情報と、前回選択した類義語の類義語説明情報との内容の違いを容易に把握することができ、適切な類義語の検索をより簡易に行うことのできる情報表示制御装置を実現できる。
【０１３９】
また、請求項６又は１７に記載の発明によれば、見出語が選択されると、この選択された見出語のキーワードに対応する類義語群の内、選択された類義語の類異義語説明情報を読み出すとともに、前回選択された類義語の類義語説明情報を読み出し、読み出した類義語説明情報同士を対比して表示制御することができる。従って、ユーザにとって、今回選択した類義語の類義語説明情報情報と前回選択した類義語の類義語説明情報の内容の違いを容易に把握することができ、適切な類義語の検索をより簡易に行うことのできる情報表示制御装置等を実現することができる。
【０１４０】
また、請求項７に記載の発明によれば、選択された類義語の類義語説明情報については、前回選択された類義語の類義語説明情報情報と合致する部分或いは合致しない部分を所定の表示形態で表示制御することができる。
【０１４１】
また、請求項８に記載の発明によれば、読み出した類義語説明情報同士を同一画面に表示制御することができる。従って、ユーザは、双方の類義語説明情報それぞれの内容の違いを視覚的に容易に把握することが可能となる。
【０１４２】
また、請求項９に記載の発明によれば、選択された見出語のキーワードの語義番号に対応する類義語群の内から一の類義語を選択することができる。従って、ユーザにとって、あるキーワードの語義番号に対応付けられている類義語の類義語説明情報同士を対比して表示制御することができるので、双方の類義語説明情報の内容の違いを容易に把握し、適切な類義語の検索をより簡易に行うことのできる情報表示制御装置を実現できる。
【０１４３】
また、請求項１０に記載の発明によれば、選択された見出語のキーワードに対応する類義語群の内、該選択された見出語に一致する類義語の類義語説明情報を読み出すとともに、他の類義語の類義語説明情報を読み出し、読み出した類義語説明情報同士を対比して表示制御することができる。即ち、同一のキーワードに対応付けられている類義語の類義語説明情報同士を対比して表示制御することができるので、ユーザにとって、双方の類義語説明情報の内容の違いを容易に把握し、適切な類義語の検索をより簡易に行うことのできる情報表示制御装置を実現できる。
【０１４４】
また、請求項１１又は１８に記載の発明によれば、見出語が選択されると、選択された見出語のキーワードに対応する類義語群の内、該選択された見出語に一致する類義語の類義語説明情報を読み出すとともに、他の類義語の類義語説明情報を読み出し、読み出した類義語説明情報同士を対比して表示制御することができる。従って、同一のキーワードに対応付けられている類義語の類義語説明情報同士を対比して表示制御することができるので、ユーザにとって、双方の類義語説明情報の内容の違いを容易に把握し、適切な類義語の検索をより簡易に行うことのできる情報表示装置等を実現できる。
【０１４５】
また、請求項１２に記載の発明によれば、読み出した他の類義語の類義語説明情報については、選択された見出語に一致する類義語の類義語説明情報と合致する部分或いは合致しない部分を所定の表示形態で表示制御することができる。
【０１４６】
また、請求項１３に記載の発明によれば、読み出した双方の類義語情報を同一画面に表示制御することができる。従って、ユーザは、双方の類義語説明情報それぞれの内容の違いを視覚的に容易に把握することが可能となる。
【０１４７】
また、請求項１４に記載の発明によれば、選択された見出語のキーワードの語義番号に対応する類義語群の内、該選択された見出語に一致する類義語の類義語説明情報を読み出すとともに、他の類義語の類義語説明情報を読み出し、読み出した類義語説明情報同士を対比して表示制御することができる。即ち、同一のキーワードの語義番号に対応付けられている類義語の類義語説明情報同士を対比して表示制御することができるので、ユーザにとって、双方の類義語説明情報の内容の違いを容易に把握し、適切な類義語の検索をより簡易に行うことのできる情報表示装置を実現できる。
【０１４８】
更に、請求項１５に記載の発明によれば、選択された見出語のキーワードに対応する語義情報を読み出して、読み出した語義情報と該キーワードとを同一画面に表示制御することができる。また、この表示制御は、見出語の選択に引き続いて行われるので、ユーザは、従来と比較してより少ない手順での検索を実現することができる。
【図面の簡単な説明】
【図１】携帯型電子辞書の外観例を示す図。
【図２】第１の実施の形態における携帯型電子辞書の内部構成の一例を示すブロック図。
【図３】見出語テーブルのデータ構成の一例を示す図。
【図４】類義語テーブルのデータ構成の一例を示す図。
【図５】第１類語辞典検索処理に係る携帯型電子辞書の動作を説明するフローチャート。
【図６】第１識別処理に係る携帯型電子辞書の動作を説明するフローチャート。
【図７】第１類語辞典検索処理における表示画面の遷移例を示す図。
【図８】第１類語辞典検索処理における表示画面の遷移例を示す図。
【図９】第２の実施の形態における携帯型電子辞書のＲＯＭ及びＲＡＭの構成を示す図。
【図１０】見出語テーブルのデータ構成の一例を示す図。
【図１１】類義語テーブルのデータ構成の一例を示す図。
【図１２】第２類語辞典検索処理に係る携帯型電子辞書の動作を説明するフローチャート。
【図１３】第２識別処理に係る携帯型電子辞書の動作を説明するフローチャート。
【図１４】第２類語辞典検索処理における表示画面の遷移例を示す図。
【図１５】第２類語辞典検索処理における表示画面の遷移例を示す図。
【図１６】第２類語辞典検索処理における表示画面の遷移例を示す図。
【図１７】従来の表示画面の遷移例を示す図。
【図１８】従来の表示画面の遷移例を示す図。
【符号の説明】
１  携帯型電子辞書
１０  ＣＰＵ
２０  入力部
３０  表示部
４０、６０  ＲＯＭ
４１  類語辞典ＤＢ
４２（４２ａ、４２ｂ）  見出語テーブル
４３（４３ａ、４３ｂ）  類義語テーブル
４５  第１類語辞典検索プログラム
４６  第２類語辞典検索プログラム
５０、７０  ＲＡＭ
５１  選択見出語格納領域
５２  選択説明情報格納領域
５３  参照キーワード格納領域
５４  参照語義番号格納領域
５５  参照説明情報格納領域
５６  選択類義語格納領域
５７  前回選択類義語格納領域
７１  指定類義語格納領域
【図１】
2004272678.tif 000003
【図２】
2004272678.tif 000004
【図３】
2004272678.tif 000005
【図４】
2004272678.tif 000006
【図５】
2004272678.tif 000007
【図６】
2004272678.tif 000008
【図７】
2004272678.tif 000009
【図８】
2004272678.tif 000010
【図９】
2004272678.tif 000011
【図１０】
2004272678.tif 000012
【図１１】
2004272678.tif 000013
【図１２】
2004272678.tif 000014
【図１３】
2004272678.tif 000015
【図１４】
2004272678.tif 000016
【図１５】
2004272678.tif 000017
【図１６】
2004272678.tif 000018
【図１７】
2004272678.tif 000019
【図１８】
2004272678.tif 000020